(57)【要約】眼の瞳孔の範囲内にマックスウェル視の収束点を容易かつ安定的に合わせることができるハンドフリーで手軽に長時間の携帯が可能な装着型電子めがね装置を提供する。マックスウェル視を用いた指向性の高い画像光が画像出射部２１（接眼レンズ２１ａ）から出射される電子めがね本体の光学ユニット２と、この光学ユニット２である電子めがね本体の中央部２３に装着されてこれを保持し、帽子の鍔や眼鏡フレームに取り付けられて保持され、この光学ユニット２を３次元的に位置設定（３軸移動と１軸周りの回転移動による位置設定）と固定を可能とする位置合わせ機構部３とを備えている。【特許請求の範囲】
【請求項１】
マックスウェル視により眼の瞳孔を通して網膜に映像を投影するための表示装置を用いた装着型電子めがね装置であって、
マックスウェル視を用いた指向性の高い画像光が前記表示装置の表示画面から出射される電子めがね本体と、前記電子めがね本体に装着されるかまたは前記電子めがね本体が収容され、前記電子めがね本体を３次元的に位置設定して固定可能とする位置合わせ機構部とを有する装着型電子めがね装置。
【請求項２】
前記位置合わせ機構部は、前記電子めがね本体が収容されて内部で長手方向に所定範囲内で移動可能とする凹部が設けられた収納ケースと、該収納ケースに、前記長手方向に直交しかつ互いに直交する前後方向および上下方向に前記電子めがね本体と瞳孔との位置関係を調整可能とするノーズパッドと、前記収納ケースの両側に取り付けられ、両耳に掛けるためのツル部材とを有する請求項１に記載の装着型電子めがね装置。
【請求項３】
前記収納ケースは、前記電子めがね本体が前記長手方向に所定範囲内で移動自在でかつ該長手方向の軸の周りに所定範囲内で回動自在に内部に収容されており、前記電子めがね本体の前記収納ケースに対する位置設定と固定部材による位置固定が行われている請求項２に記載の装着型電子めがね装置。
【請求項４】
前記位置合わせ機構部は、外形断面形状が４角形の前記電子めがね本体を４角形の枠内に挿嵌した状態で、前記枠内に前記電子めがね本体を挿抜する挿抜方向およびこれに直交する方向の、空間３軸のうちの２軸と残る１軸周りの回転方向に位置設定可能でかつ第１固定具により固定可能とする枠部材と、前記残る１軸の方向に位置設定自在に前記枠部材に取り付け可能とし、その設定された設定位置で第２固定具により固定可能とされる位置設定連結部材とを有する請求項１に記載の装着型電子めがね装置。
【請求項５】
前記枠部材には、その上面または下面に前記第１固定具が少なくとも２箇所設けられ、その側面に前記第２固定具の一方が少なくとも２箇所設けられており、該枠部材は該第１固定具により前記電子めがね本体に対して固定可能とし、
前記位置設定連結部材は、その一方の先端部に該第２固定具の他方が設けられ、該第２固定具の一方と該他方により該枠部材に対して上下方向に所定範囲内で位置設定可能でかつ連結固定可能としている請求項４に記載の装着型電子めがね装置。
【請求項６】
前記位置設定連結部材の他方の先端部と連結固定され、帽子の鍔または眼鏡フレームに固定された取り付け部材を更に有する請求項４または５に記載の装着型電子めがね装置。
【請求項７】
前記取り付け部材には、人の鼻で固定可能とするノーズパッド手段が取り付けられている請求項６に記載の装着型電子めがね装置。
【請求項８】
前記電子めがね本体および前記位置合わせ機構部の前方に遮光または半遮光板が前記帽子の鍔または眼鏡フレームに固定されて配設されている請求項１に記載の装着型電子めがね装置。
【請求項９】
周囲の音情報と共に必要な音声情報を得るための補聴装置が帽子または眼鏡に固定されて配設されている請求項１に記載の装着型電子めがね装置。
【請求項１０】
被写体を撮影可能とする画像入力装置が前記帽子の鍔または眼鏡フレームに固定されて配設され、前記表示装置は、前記画像入力装置からの画像信号に基づいて前記表示画面上に前記被写体画像が表示される請求項１、８および９のいずれかに記載の装着型電子めがね装置。
【請求項１１】
前記表示装置は、画像入力装置または外部からの画像信号を信号処理可能とする信号処理部と、該信号処理部で所定の信号処理が為された画像信号に基づいて表示画像を形成する表示画像形成部と、該表示画像形成部からの表示画像光を用いて、前記マックスウェル視を用いた指向性の高い画像光を前記表示画面から出射する画像光出射部とを有する請求項１に記載の装着型電子めがね装置。
【請求項１２】
前記電子めがね本体および前記位置合わせ機構部が片目用に１組または両眼用に２組設けられている請求項１に記載の装着型電子めがね装置。
【請求項１３】
前記３次元的な位置設定は、３軸移動と該３軸のうちの少なくともいずれか１軸周りの回転移動とによる位置設定である請求項１に記載の装着型電子めがね装置。
【発明の詳細な説明】
【技術分野】
【０００１】
本発明は、マックスウェル視を用いて瞳孔を通して直に網膜に画像光を投影するための表示装置が設けられた装着型電子めがね装置に関する。
【背景技術】
【０００２】
マックスウェル視は、ピンホールカメラの原理であり、指向性の高い画像光を眼の瞳孔内で収束させて、水晶体による焦点調整機能を使わずピント合わせすることなく、網膜に直に画像光を投影するものであって、焦点深度が深いため、水晶体や角膜の機能が低下して、めがねをかけてもはっきり見え難いような低視力者であっても、網膜に焦点が合って、画像がぼやけずに鮮明に見える。このようなマックスウェル視を用いて眼の疾患者に鮮明な映像を与えることができる「映像付与装置」が特許文献１に開示されている。【０００３】
また、レーザスキャンを利用し、網膜投影方式のディスプレイを使った低視力者の読書力を測定した結果を報告した論文が非特許文献１に開示されている。この非特許文献１では、モバイル用に、ディスプレイを頭部にヘッドバンドで固定し、これを眼の瞳孔の位置に合わせることにより網膜に映像を投影するというものである。
【特許文献１】特開２００２−２８２２９９号公報
【非特許文献１】Ｊｏｕｒｎａｌ  ｏｆ  Ｖｉｓｕａｌ  Ｉｍｐａｉｒｍｅｎｔ  ａｎｄ  Ｂｌｉｎｄｎｅｓｓ，Ｍａｒｃｈ  ２００４  Ｐ１４８〜Ｐ１５９；「Ａ  Ｃｏｍｐａｒａｔｉｖｅ  Ｗｉｔｈ  ａ  Ｈｅａｄ−ｍｏｕｎｔｅｄ  Ｌａｓｅｒ  Ｄｉｓｐｌａｙ  ａｎｄ  Ｃｏｎｖｅｎｔｉｏｎａｌ  Ｌｏｗ  Ｖｉｓｉｏｎ  Ｄｅｖｉｃｅｓ」
【発明の開示】
【発明が解決しようとする課題】
【０００４】
上記従来の特許文献１では、マックスウェル視を用いた網膜投影型表示装置を眼球前部にセットして映像を観察する際に、マックスウェル視ではその映像の収束点を瞳孔内に位置させて始めて映像が見えるのであるが、この表示装置の機器特有の性質上、最初に瞳に映像の収束点を導くことは容易なことではない。【０００５】
上記従来の非特許文献１では、ディスプレイを保持するヘッドバンドは、ほとんどのユーザ（患者）でディスプレイを一定位置に保持することができなかったとの記載があり、ヘッドバンド方式によるディスプレイの位置決めの困難さをうかがわせている。【０００６】
このように、頭部にヘッドバンドでディスプレイを付けて映像を観察する際に、ユーザは、映像光の収束点を瞳孔に導くように固定することに時間がかかっていた。これは、ユーザ固有の生体であって変化する顔の形や髪型などに合わせてヘッドバンドで安定にディスプレイを固定することが如何に困難であるかを示している。【０００７】
このように、従来の装着機器は、ヘッドセットと一体になり、ある程度の３次元的な位置の自由度を持たせた機構であって、この自由度と同時に装着機器を固定する必要があり、不安定な位置決め機構となっていた。【０００８】
これを避けるために、表示装置全体を手持ち式にして、接眼部を眼の周囲に当接することにより眼の瞳孔の範囲内にマックスウェル視の収束点を容易かつ安定的に合わせることができる携帯型の電子めがね装置を、本発明者らが出願（特願２００４−１７８８９１号および特願２００４−２５３５１５号）している。【０００９】
しかしながら、上記電子めがね装置を保持するのに、少なくとも片手がふさがり自由な行動ができ難いことや、手持ち式であるが故に、上記電子めがね装置の長時間の使用に耐えることが困難であるという問題を有していた。【００１０】
本発明は、上記従来の問題を解決するもので、眼の瞳孔の範囲内にマックスウェル視の収束点を容易かつ安定的に合わせることができてハンドフリーで手軽に長時間の携帯が可能な装着型電子めがね装置を提供することを目的とする。
【課題を解決するための手段】
【００１１】
本発明の装着型電子めがね装置は、マックスウェル視により眼の瞳孔を通して網膜に映像を投影するための表示装置を用いた装着型電子めがね装置であって、マックスウェル視を用いた指向性の高い画像光が前記表示装置の表示画面から出射される電子めがね本体と、前記電子めがね本体に装着され、前記電子めがね本体を３次元的に位置設定して固定可能とする位置合わせ機構部とを有するものであり、そのことにより上記目的が達成される。【００１２】
また、好ましくは、本発明の装着型電子めがね装置における位置合わせ機構部は、外形断面形状が４角形の前記電子めがね本体を４角形の枠内に挿嵌した状態で、前記枠内に前記電子めがね本体を挿抜する挿抜方向およびこれに直交する方向の、空間３軸のうちの２軸と残る１軸周りの回転方向に位置設定可能でかつ第１固定具により固定可能とする枠部材と、前記残る１軸の方向に位置設定自在に前記枠部材に取り付け可能とし、その設定された設定位置で第２固定具により固定可能とされる位置設定連結部材とを有する。【００１３】
さらに、好ましくは、本発明の装着型電子めがね装置における位置合わせ機構部は、前記電子めがね本体が収容されて内部で長手方向に所定範囲内で移動可能とする凹部が設けられた収納ケースと、該収納ケースに、前記長手方向に直交しかつ互いに直交する前後方向および上下方向に前記電子めがね本体と瞳孔との位置関係を調整可能とするノーズパッドと、前記収納ケースの両側に取り付けられ、両耳に掛けるためのツル部材とを有する。【００１４】
さらに、好ましくは、本発明の装着型電子めがね装置における収納ケースは、前記電子めがね本体が前記長手方向に所定範囲内で移動自在でかつ該長手方向の軸の周りに所定範囲内で回動自在に内部に収容されており、前記電子めがね本体の前記収納ケースに対する位置設定と固定部材による位置固定が行われている。【００１５】
さらに、好ましくは、本発明の装着型電子めがね装置における枠部材には、その上面または下面に前記第１固定具が少なくとも２箇所設けられ、その側面に前記第２固定具の一方が少なくとも２箇所設けられており、該枠部材は該第１固定具により前記電子めがね本体に対して固定可能とし、前記位置設定連結部材は、その一方の先端部に該第２固定具の他方が設けられ、該第２固定具の一方と該他方により該枠部材に対して上下方向に所定範囲内で位置設定可能でかつ連結固定可能としている。さらに、具体的に説明すると、枠部材には、その上面に少なくとも２箇所のねじ穴が設けられ、その側面に少なくとも２箇所のねじ穴が設けられており、前記上面の各ねじ穴に前記第１固定具としてのねじを螺合させて前記電子めがね本体の表面を前記ねじで押圧することにより前記枠部材と前記電子めがね本体とを固定可能とし、前記位置設定連結部材は、その一方の先端部に設けられた長穴を通して、前記枠部材の側面に設けられた各ねじ穴に前記第２固定具としてのねじを螺合させて前記枠部材と連結可能とし、前記長穴により位置設定を可能としている。【００１６】
さらに、好ましくは、本発明の装着型電子めがね装置において、前記位置設定連結部材の他方の先端部と連結固定され、帽子の鍔または眼鏡フレームに固定された取り付け部材を更に有する。【００１７】
さらに、好ましくは、本発明の装着型電子めがね装置における取り付け部材には、人の鼻で固定可能とするノーズパッド手段が取り付けられている。【００１８】
さらに、好ましくは、本発明の装着型電子めがね装置において、前記電子めがね本体および前記位置合わせ機構部の前方に遮光または半遮光板が前記帽子の鍔または眼鏡フレームに固定されて配設されている。【００１９】
さらに、好ましくは、本発明の装着型電子めがね装置において、周囲の音情報と共に必要な音声情報を得るための補聴装置が帽子または眼鏡に固定されて配設されている。【００２０】
さらに、好ましくは、本発明の装着型電子めがね装置において、被写体を撮影可能とする画像入力装置が前記帽子の鍔または眼鏡フレームに固定されて配設され、前記表示装置は、前記画像入力装置からの画像信号に基づいて前記表示画面上に前記被写体画像が表示される。【００２１】
さらに、好ましくは、本発明の装着型電子めがね装置における表示装置は、画像入力装置または外部からの画像信号を信号処理可能とする信号処理部と、該信号処理部で所定の信号処理が為された画像信号に基づいて表示画像を形成する表示画像形成部と、該表示画像形成部からの表示画像光を用いて、前記マックスウェル視を用いた指向性の高い画像光を前記表示画面から出射する画像光出射部とを有する。【００２２】
さらに、好ましくは、本発明の装着型電子めがね装置における電子めがね本体および前記位置合わせ機構部が片目用に１組または両眼用に２組設けられている。【００２３】
さらに、好ましくは、本発明の装着型電子めがね装置における３次元的な位置設定は、３軸移動と該３軸のうちの少なくともいずれか１軸周りの回転移動とによる位置設定である。【００２４】
上記構成により、以下、本発明の作用を説明する。【００２５】
本発明にあっては、マックスウェル視を用いた指向性の高い画像光が表示装置の表示画面から出射される電子めがね本体の外形部に装着され、この電子めがね本体を３次元的（３軸）に位置設定して固定可能とする位置合わせ機構部を有している。この位置合わせ機構部は帽子の鍔や眼鏡フレームなどに固定される。【００２６】
このように、電子めがね本体を３次元的（３軸）に位置設定して固定可能とするため、眼の瞳孔の範囲内にマックスウェル視の収束点を容易かつ安定的に合わせることができてハンドフリーで手軽に長時間の携帯が可能な装着型電子めがね装置が得られる。
【発明の効果】
【００２７】
以上により、本発明によれば、位置合わせ機構部により電子めがね本体を３次元的（３軸）に位置設定して固定可能とするため、眼の瞳孔の範囲内にマックスウェル視の収束点を容易かつ安定的に合わせることができてハンドフリーで手軽に長時間の携帯が可能な装着型電子めがね装置を得ることができる。
【図面の簡単な説明】
【００２８】
【図１】本発明の実施形態１に係る装着型電子めがね装置の要部構成例を示す斜視図である。
【図２Ａ】本発明の実施形態２に係る装着型電子めがね装置の第１構成例を示す斜視図である。
【図２Ｂ】本発明の実施形態２に係る装着型電子めがね装置の第２構成例を示す斜視図である。
【図２Ｃ】本発明の実施形態２に係る装着型電子めがね装置の第３構成例を示す斜視図である。
【図２Ｄ】本発明の実施形態２に係る装着型電子めがね装置の第４構成例を示す斜視図である。
【図３Ｅ】本発明の実施形態３に係る装着型電子めがね装置の第１構成例を示す斜視図である。
【図３Ｆ】本発明の実施形態３に係る装着型電子めがね装置の第２構成例を示す斜視図である。
【図４Ｇ】本発明の実施形態４に係る装着型電子めがね装置の第１構成例を示す斜視図である。
【図４Ｈ】本発明の実施形態４に係る装着型電子めがね装置の第２構成例を示す斜視図である。
【図５Ｉ】本発明の実施形態５に係る装着型電子めがね装置の第１構成例を示す斜視図である。
【図５Ｊ】本発明の実施形態５に係る装着型電子めがね装置の第２構成例を示す斜視図である。
【図６Ｋ】本発明の実施形態６に係る装着型電子めがね装置の第１構成例を示す斜視図である。
【図６Ｌ】本発明の実施形態６に係る装着型電子めがね装置の第２構成例を示す斜視図である。
【図７Ｍ】本発明の実施形態７に係る装着型電子めがね装置の外観構成例を示す斜視図である。
【図７Ｎ】図７Ｍの装着型電子めがね装置の各部品の分解斜視図である。
【図７Ｐ】図７Ｍの装着型電子めがね装置の各部品の他の構成例を示す分解斜視図である。
【符号の説明】
【００２９】
１、１Ａ〜１Ｍ、１Ｐ  装着型電子めがね装置
２１、７１１，７１１Ｐ  画像出射部（画像光出射部）
２１ａ、７１１ａ  接眼レンズ
２２  接眼部
２３  筺体中央部
２３Ｋ  筺体端部分
２、２Ｋ，７１  光学ユニット（電子めがね本体）
７１２ａ，７１２ｂ  丸い形状部
３、３Ａ、３Ｃ、３Ｅ、３Ｋ，３Ｌ  位置合わせ機構部
３１、３１Ｋ  枠部材
３１ａ、３１Ｋａ  枠部材の上面（または下面）
３１ｂ、３１Ｋｂ  枠部材の側面
３１ｃ、３２ｂ、３２Ｋｂ  ねじ
３２，３２Ａ、３２Ｃ、３２Ｄ、３２Ｅ、３２Ｋ、３２Ｌ  帯状部材（位置設定連結手段）
３２ａ、３２Ｋａ  長穴
４、４Ａ、４Ｂ、４Ｃ、４Ｅ  取り付け部材
４１，４１Ｂ、４１Ｅ  固定部材
４２，４２Ｂ、４２Ｃ、４２Ｄ  連結部材
４３  ノーズパッド（ノーズパッド）
５、５Ｄ、５Ｋ、５Ｌ  眼鏡フレーム
６、６Ｆ  サングラス（遮光または半遮光板）
６１、６１Ｆ  固定部材
６２、６２Ｆ  サングラス板
７  骨伝導イヤホン（補聴装置）
８、８Ｊ  小型ビデオカメラ（画像入力装置）
７２、７２Ｐ  収納ケース
７２１、７２１Ｐ  凹部
７２２  ツル固定部材
７２２ａ  角穴
７２２ｂ  穴
７２３ａ、７２３ｂ  ねじ穴
７３  ノーズパッド
７３１  凹形状部
７３２  ねじ
７４、７４Ｐ  ツル部材
７４１  一方端部
７４１ａ  穴
７４２  他方端部
７５  側板
７６  固定ねじ
【発明を実施するための最良の形態】
【００３０】
以下に、本発明の装着型電子めがね装置の実施形態１〜７について図面を参照しながら説明する。
（実施形態１）
本実施形態１では、映像の収束点と瞳孔の位置合わせが簡単な位置合わせ機構部を有する装着型電子めがね装置の場合について説明する。【００３１】
図１は、本発明の実施形態１に係る装着型電子めがね装置の要部構成例を示す斜視図である。【００３２】
図１において、本実施形態１の装着型電子めがね装置１は、マックスウェル視を用いた指向性の高い画像光が画像出射部２１（接眼レンズ２１ａ）から出射される電子めがね本体の光学ユニット２と、この光学ユニット２である電子めがね本体の中央部に装着されてこれを保持し、この光学ユニット２を３次元的に位置設定と固定を可能とする位置合わせ機構部３とを備えている。【００３３】
光学ユニット２は、平面視Ｌ字状またはＩ字状に構成された箱体構造の筺体内に、マックスウェル視を用いた指向性の高い画像光を出射する画像出射部２１を構成する光学系（図示せず）と、この光学系の後方に設けられた表示画面を持つ液晶表示装置などの表示装置（空間変調素子；図示せず）と、この表示装置に照明光を出射する照明光源である照明装置（図示せず）と、各部に電力供給可能とする電源部（電池；図示せず）とを備えている。【００３４】
表示装置は、例えばビデオカメラなどで撮影されたり、ＤＶＤなどの記録媒体に記録されたり、インターネットやイントラネットなどの通信回線を介して得られたりした被写体画像などの画像データが入力されて所定の信号処理（例えばホワイトバランス処理やガンマ補正処理など）が為される信号処理部（図示せず）と、この信号処理部で所定の信号処理が為された画像データに基づいて照明光源からの照明光（バックライト光）により表示画面上に表示される表示画像形成部（図示せず）とを有している。【００３５】
表示画像形成部は、その一例として、電源に接続される照明光源からの光をＲ（赤）、Ｇ（緑）およびＢ（青）の各色に分光する分光光学系と、この分光光学系で分光した各色の分光（平行光線）がそれぞれバックライトとして照射されて、電源線と映像信号線が接続されて各色毎の液晶表示が為されるＲ（赤）、Ｇ（緑）およびＢ（青）の各色の透過型液晶表示装置と、各色の透過型液晶表示装置からの各色の画像光をカラー表示画像として画像合成して出射する合成光学系とを有している。あるいは、表示画像形成部として、電源線（照明電源部）に接続される照明光源（例えば白色ＬＥＤ光源）により照射される単一透過型液晶表示板と、Ｒ（赤）、Ｇ（緑）およびＢ（青）のフィルタを周期的にコーティングした単一透過型対向表示板とを有する透過型液晶表示パネルが設けられ、この透過型液晶表示パネルからカラー表示画像光を出射する。【００３６】
この画像出射部２１は、上記表示画像形成部の表示画面から出射された画像光を、集光用のレンズでピンホール板のピンホールに集光させ、ピンホールから出射された指向性の高い画像光をレンズで平行光線に戻した後に、接眼レンズ２１ａで平行光線を絞ってユーザの瞳孔内に収束させる構成となっている。【００３７】
この画像出射部２１の接眼レンズ２１ａの周囲から突出した接眼部２２が設けられている。この接眼部２２は、シリコンゴムなどの樹脂材料や金属材料などで構成されている。【００３８】
一方、位置合わせ機構部３は、断面が４角形である光学ユニット２の筺体中央部２３を挿嵌した状態で第１固定具（ねじなど）により筺体中央部２３に固定可能とする枠部材３１と、この枠部材３１に所定方向（図１では上下方向）に位置変化自在（移動自在）に取り付け可能とし、その位置決めされた設定位置で第２固定具（ねじなど）により固定可能とされる位置設定連結部材としての帯状部材３２とを有している。【００３９】
枠部材３１は、ステンレススチール、アルミニュウムやチタン合金などの金属やその合金材料または樹脂材料で４角形の環状に構成され、その上面３１ａには少なくとも２箇所にねじ穴が設けられ、その側面３１ｂにも少なくとも２箇所にねじ穴が設けられている。上面３１ａのねじ穴には、枠部材３１を光学ユニット２の筺体中央部２３に固定するために、ねじ頭の外形大のねじ３１ｃが螺合して取り付けられている。【００４０】
ここでは、光学ユニット２の筺体中央部２３の断面形状を長辺と短辺を持つ矩形状とし、この矩形状に合わせて枠部材３１の内側の開口部形状も、筺体中央部２３を挿嵌可能なように筺体中央部２３の外形よりも一回り大きい矩形状としている。特に、筺体中央部２３の断面矩形状の短辺側については、枠部材３１に対して、その矩形状の開口部に挿入できる程度の少しの隙間とし、その長辺側については図１の前後方向に、光学ユニット２を多少の移動調整が可能なように枠部材３１に対して隙間を持たせている。これによって、枠部材３１に対して光学ユニット２を、その前後方向に、瞳孔内にマックスウェル視の射出光収束点が位置するように移動調整することができる。【００４１】
また、この枠部材３１を光学ユニット２の筺体中央部２３に挿抜可能とする構成であるので、光学ユニット２を挿入または引き抜き方向（図１の左右方向；挿抜方向）にも、瞳孔の位置とマックスウェル視の射出光収束点とを合わせるように移動調整することができる。しかも、この光学ユニット２の上下方向の移動については、枠部材３１の開口部内面のうちの上下面が、筺体中央部２３に対する摺動面になっており、この光学ユニット２は、枠部材３１に対して上下方向には移動できないものの、前述したように前後方向には隙間が大きく移動自在であるため、上下方向の軸周りに回転自在（水平面内に回転自在）に位置決めできる。即ち、枠部材３１は、外形断面形状が４角形の光学ユニット２を４角形の枠内に挿嵌した状態で、この枠内に光学ユニット２を挿抜する挿抜方向およびこれに直交する方向の、空間３軸のうちの２軸と残る１軸周りの回転方向に位置設定が可能である。これによって、瞳孔の位置とマックスウェル視の射出光収束点とを合わせるように移動調整することができる。このようにして、上下方向および前後方向に光学ユニット２の移動を規制する枠部材３１の枠内で、光学ユニット２の位置を手で持って映像が見えるように光学ユニット２を移動させることができる。【００４２】
その位置決め後に、光学ユニット２を枠部材３１の枠内（開口部内）に固定する場合には、ねじ頭の外形大の二つのねじ３１ｃを締め付けて光学ユニット２の筺体中央部２３の表面上にねじ先端部を押し立てて光学ユニット２を枠部材３１に固定する。この場合、繰り返し固定してもその表面が耐えられるように、光学ユニット２の少なくとも筺体中央部２３は樹脂材料であれば硬質材料で厚肉にする必要があり、これを軽金属で構成してもよい。【００４３】
帯状部材３２は、軽金属または樹脂材料で構成され、枠部材３１の枠内に固定された光学ユニット２を保持固定するための部材である。この帯状部材３２と枠部材３１との連結は、ねじなどの連結固定具によって連結される。この枠部材３１の側面３１ｂに設けられた二つのねじ穴のピッチよりも移動調整距離分だけ長い長穴３２ａが、帯状部材３２の端部からその長手方向に沿って形成されており、その長穴３２ａを通して二つのねじ３２ｂを側面３１ｂの二つのねじ穴にそれぞれ螺合させて上下方向（残る１軸方向）に移動自在（位置設定自在）に両者を連結することができる。これによって、瞳孔の位置とマックスウェル視の射出光収束点とを上下方向に合わせるように移動調整することができる。その位置調整後に、二つのねじ３２ｂを締め付けると、枠部材３１に帯状部材３２を固定することができる。この帯状部材３２の先端側は、後述する帽子の鍔や眼鏡フレームに固定可能である。【００４４】
これによって、接眼部２２に眼の周囲や眼鏡レンズに当てて接眼レンズ２１ａと瞳孔の位置関係、即ち、光学ユニット２を手で持って映像が見えるように位置合わせするだけで、眼の瞳孔に対する接眼レンズ２１ａの画像光出射面の位置関係を、上下、左右および前後方向、さらには上下軸周りの回転方向（水平面内の回転方向）に位置決めすることが可能となる。これによって、マックスウェル視を用いた指向性の高い画像光が出射される接眼レンズ２１ａの画像光出射面から出射される映像を最初に見つけるのも容易なものとなる。その後、少なくとも二つのねじ３１ｃと少なくとも二つのねじ３２ｂをそれぞれ締めて、映像が見える設定位置を固定すればよい。
（実施形態２）
本実施形態２では、両手が自由でかつ長時間の使用に耐えるように、上記位置合わせ機構部３を保持する取り付け部材を有する装着型電子めがね装置の場合について説明する。【００４５】
図２Ａ〜図２Ｄは、本発明の実施形態２に係る装着型電子めがね装置の第１〜第４構成例を示す斜視図である。なお、図１の部材と同様の作用効果を奏する部材には同一の符号を付してその説明を省略する。【００４６】
図２Ａにおいて、本実施形態２の装着型電子めがね装置１Ａは、マックスウェル視を用いた指向性の高い画像光が画像出射部２１（接眼レンズ２１ａ）から出射される電子めがね本体の光学ユニット２と、この光学ユニット２である電子めがね本体の中央部２３に装着されてこれを保持し、この光学ユニット２を３次元的に位置設定（３軸移動と１軸周りの回転移動による位置設定）と固定を可能とする位置合わせ機構部３Ａと、帯状部材３２を介して位置合わせ機構部３Ａを保持する取り付け部材４とを備えている。【００４７】
取り付け部材４は、図２Ａの事例では、取り付け部材４Ａとして、帽子の鍔の外周部を両側から上下に挟み込んでホールドする固定部材４１と、固定部材４１と帯状部材３２Ａの先端部とが連結され、その連結部分を帯状部材３２Ａと共にばねで上下に９０度程度（水平方向と垂直方向間など）回動可能でその上下位置で固定可能とする跳ね上げ式の連結部材４２とを有している。帯状部材３２Ａと帯状部材３２との異なる点は、帯状部材３２Ａの先端部が連結部材４２にねじなどで連結固定可能な構成になっている点と、連結部材４２に連結固定するためにクランク状に途中で折れ曲がっている点である。【００４８】
また、取り付け部材４は、図２Ｂの事例では、取り付け部材４Ｂとして、帽子の鍔の外周部を両側から上下に挟み込んでホールドするように両端部が折れ曲がった固定部材４１Ｂと、この固定部材４１Ｂと帯状部材３２Ａの先端部とを連結し、その連結部分を帯状部材３２Ａと共にばねで上下に９０度程度（水平方向と垂直方向間など）回動可能でその上下位置で固定可能とする跳ね上げ式の連結部材４２Ｂと、この連結部材４２Ｂに一端が連結固定されたノーズパッド手段としてのノーズパッド４３とを有している。【００４９】
このノーズパッド４３を取り付けると、固定具である取り付け部材４Ｂと人の眼球との位置関係が略一義的に決まり、この位置に対して光学ユニット２の位置を調整することができる。逆に、光学ユニット２の位置調整（第１回目の位置調整）後、ノーズパッド４３により次の位置調整（第２回目の位置調整）からは、瞳孔の位置とマックスウェル視の射出光収束点とを合わせる光学ユニット２の位置調整が不用となる。【００５０】
図２Ｃにおいて、本実施形態２における別事例の装着型電子めがね装置１Ｃは、マックスウェル視を用いた指向性の高い画像光が画像出射部２１（接眼レンズ２１ａ）から出射される電子めがね本体の光学ユニット２と、この光学ユニット２である電子めがね本体の中央部２３に装着されてこれを保持し、この光学ユニット２を３次元的に位置設定と固定を可能とする位置合わせ機構部３Ｃと、帯状部材３２Ｃを介して位置合わせ機構部３Ｃを保持固定する取り付け部材４Ｃとを備えている。【００５１】
取り付け部材４Ｃは、眼鏡フレーム５にねじなどで固定すると共に、クランク状に折れ曲がった帯状部材３２Ｃの先端部をねじなどで連結固定する連結部材４２Ｃを眼鏡フレーム５の上面および背面に沿わせるように設けている。【００５２】
連結部材４２Ｃは、その長手方向に沿って断面Ｌ字状に折れ曲がっており、この眼鏡フレーム５に固定された眼鏡レンズ上方の上面および背面（断面Ｌ字状）にねじにて固定する。連結部材４２Ｃの上面に帯状部材３２Ｃの先端部をねじで固定する。この状態で、眼鏡レンズの表面に接眼部２２を当接させて、瞳孔の位置とマックスウェル視の射出光収束点とを合わせた状態で眼鏡と一体化して固定する。【００５３】
この場合には、眼鏡フレーム５として、スポーツ時にボールなどから眼を守るプロテクタの役目を果たす眼鏡を用いている。これに対して、実際の眼鏡フレーム５Ｄに、装着型電子めがね装置１Ｄを用いた場合を図２Ｄに示している。【００５４】
図２Ｄでは、取り付け部材４Ｄは、眼鏡フレーム５Ｄにねじなどで固定されると共に、クランク状に折れ曲がった帯状部材３２Ｄの先端部をねじなどで連結固定する連結部材４２Ｄを眼鏡フレーム５Ｄの中央上部に前後から挟み込んで設けている。【００５５】
連結部材４２Ｄは、その長手方向に沿って断面コ字状に折り曲げられており、この眼鏡フレーム５Ｄの中央上部を断面コ字状部内に収容してねじなどで固定する。連結部材４２Ｄの上面に帯状部材３２Ｄの先端部をねじで固定する。この状態で、眼鏡レンズの表面に接眼部２２を当接させて、瞳孔の位置とマックスウェル視の射出光収束点とを合わせた状態で眼鏡と一体化して固定する。
（実施形態３）
本実施形態３では、本発明の装着型電子めがね装置の光学ユニット２および位置合わせ機構部３全体を遮光し、外部から光学ユニット２および位置合わせ機構部３が見えないように、光学ユニット２および位置合わせ機構部３の前方にサングラスなどの遮光または半遮光板を配置する場合について説明する。【００５６】
図３Ｅおよび図３Ｆはそれぞれ、本発明の実施形態３に係る装着型電子めがね装置の第１および第２構成例を示す斜視図である。なお、図１および図２の各部材と同様の作用効果を奏する部材には同一の符号を付してその説明を省略する。【００５７】
図３Ｅにおいて、本実施形態３の装着型電子めがね装置１Ｅは、マックスウェル視を用いた指向性の高い画像光が画像出射部２１（接眼レンズ２１ａ）から出射される電子めがね本体の光学ユニット２と、この光学ユニット２である電子めがね本体の中央部に装着されてこれを保持し、この光学ユニット２を３次元的に位置設定（３軸移動と１軸周りの回転移動による位置設定）と固定を可能とする位置合わせ機構部３Ｅ（図示せず）と、帯状部材３２Ｅ（図示せず）を介して位置合わせ機構部３Ｅを保持する取り付け部材４Ｅと、光学ユニット２および位置合わせ機構部３Ｅの前方に、光学ユニット２および位置合わせ機構部３を遮光して隠すための遮光または半遮光板としてのサングラス６とを備えている。【００５８】
図３Ｅの事例では、取り付け部材４Ｅは、帽子の鍔の外周部を両側から折り曲げ部で上下に挟み込んでホールドする固定部材４１Ｅが設けられており、図示していないが、帯状部材３２Ｅ（図示せず）が固定部材４１Ｅと枠部材３１とを連結している。この場合は、固定部材４１Ｅを介して光学ユニット２および位置合わせ機構部３Ｅを帽子の鍔の外周部に取り付けて保持している。【００５９】
サングラス６は、図３Ｅの事例では、帽子の鍔の外周部を両側から折り曲げ部で上下に挟み込んでホールドする固定部材６１と、この固定部材６１に取り付けられたサングラス板６２とを有している。このサングラス板６２は、固定式であっても前述した跳ね上げ式であってもよい。【００６０】
これは、本実施形態３のサングラス６を含む装着型電子めがね装置１Ｅ（電子めがね光学ユニット）を帽子の鍔部分に取り付けた場合であるが、本実施形態３のサングラス６（遮光サングラス）を含む装着型電子めがね装置１Ｅ（図２Ｃの装着型電子めがね装置１Ｃにサングラス６が設けられたものと同等）を眼鏡フレームに取り付けてもよい。この場合を図３Ｆに示している。【００６１】
図３Ｆの事例では、図２Ｃの装着型電子めがね装置１Ｃの帯状部材３２Ｃに、跳ね上げ式のサングラス６Ｆ（遮光サングラス）をねじにて取り付けている。この跳ね上げ式のサングラス６Ｆ（遮光サングラス）は、帯状部材３２Ｃ上にねじにて固定される固定部材６１Ｆと、この固定部材６１Ｆに、ばねにより上下に９０度程度（水平方向と垂直方向間など）回動可能に取り付けられたサングラス板６２Ｆとを有している。以上により、眼鏡フレーム５（または５Ｄ）に装着自在な、サングラス６Ｆを含む装着型電子めがね装置１Ｆ（電子めがね光学ユニット）が構成される。【００６２】
このようにして、帽子用のサングラス６を含む装着型電子めがね装置１Ｅや、眼鏡フレーム用のサングラス６Ｆを含む装着型電子めがね装置１Ｆは、遮光または半遮光グラス（サングラス６または６Ｆ）で光学ユニット２を覆うことにより、外部からその光学ユニット２（ディスプレイ装置）を見ることができないため、街中などで、装着型電子めがね装置１Ｅや装着型電子めがね装置１Ｆを使用することにあまり違和感がなくなる。【００６３】
また、サングラス６または６Ｆにより、使用者側に光が入いることを防ぐことができて、使用者は画像をより鮮明に見ることができる。この場合に、光学ユニット２を使用しない方の眼にはその効果が顕著である。
（実施形態４）
本実施形態４では、周囲の音情報と同時に必要な音声情報を入手可能とする骨伝導イヤホンなどの補聴装置を有する場合について説明する。【００６４】
図４Ｇおよび図４Ｈは、本発明の実施形態４に係る装着型電子めがね装置の第１および第２構成例を示す斜視図である。なお、図１〜図３の各部材と同様の作用効果を奏する部材には同一の符号を付してその説明を省略する。【００６５】
図４Ｇにおいて、本実施形態４の装着型電子めがね装置１Ｇは、マックスウェル視を用いた指向性の高い画像光が画像出射部２１（接眼レンズ２１ａ）から出射される電子めがね本体の光学ユニット２と、この光学ユニット２である電子めがね本体の中央部２３に装着されてこれを保持し、この光学ユニット２を３次元的に位置設定（３軸移動と１軸周りの回転移動による位置設定）と固定を可能とする位置合わせ機構部３Ｅ（図示せず）と、帯状部材３２Ｅ（図示せず）を介して位置合わせ機構部３Ｅを保持する取り付け部材４Ｅと、光学ユニット２および位置合わせ機構部３の前方に、光学ユニット２および位置合わせ機構部３を遮光してかくすためのサングラス６と、周囲の音情報と同時に必要な音声情報を聞くための骨伝導イヤホン７とを備えている。【００６６】
ここで、本実施形態４の装着型電子めがね装置１Ｇと、上記実施形態３の装着型電子めがね装置１Ｅとの違いは、二つの骨伝導イヤホン７が、帽子の内側の両耳の近くにそれぞれ対向するように設けられていることである。【００６７】
これは、本実施形態４のサングラス６および骨伝導イヤホン７を含む装着型電子めがね装置１Ｇ（電子めがね光学ユニット）を帽子の鍔部分に取り付けた場合であるが、本実施形態２の装着型電子めがね装置１Ｃ（図２Ｃ）が取り付けられた眼鏡フレーム５としてのスポーツ用プロテクタの固定バンドの内側にそれぞれ骨伝導イヤホン７をそれぞれ設けて、本実施形態４の別の事例として装着型電子めがね装置１Ｈ（図４Ｈ）を構成することができる。【００６８】
このように、装着型電子めがね装置１Ｇ（図４Ｇ）および装着型電子めがね装置１Ｈ（図４Ｈ）として、骨伝導イヤホン７を追加したのは、視覚障害者は音声情報を健常者よりも一層必要としておりこれに敏感であるからである。このため、通常のイヤホンのように耳に挿入する装置では、周囲の音声情報が途絶える可能性が強い。骨伝導イヤホン７を使用すれば、映像情報に付随した音声情報を聞くと同時に、周囲の音声情報をも入手しやすくなって自らの行動や外部からの対処も容易になる。
（実施形態５）
本実施形態５では、帽子または眼鏡フレームなどに、被写体を撮影可能とする画像入力装置としての小型ビデオカメラを装着した場合について説明する。【００６９】
図５Ｉおよび図５Ｊは、本発明の実施形態５に係る装着型電子めがね装置の第１および第２構成例を示す斜視図である。なお、図１〜図３の各部材と同様の作用効果を奏する部材には同一の符号を付してその説明を省略する。【００７０】
図５Ｉにおいて、本実施形態５の装着型電子めがね装置１Ｉは、マックスウェル視を用いた指向性の高い画像光が画像出射部２１（接眼レンズ２１ａ）から出射される電子めがね本体の光学ユニット２と、この光学ユニット２である電子めがね本体の中央部に装着されてこれを保持し、この光学ユニット２を３次元的に位置設定（３軸移動と１軸周りの回転移動による位置設定）と固定を可能とする位置合わせ機構部３Ｅ（図示せず）と、帯状部材３２Ｅ（図示せず）を介して位置合わせ機構部３Ｅを保持する取り付け部材４Ｅと、前方の映像を撮影することができる小型ビデオカメラ８とを備えている。【００７１】
ここで、本実施形態５の装着型電子めがね装置１Ｉと、上記実施形態３の装着型電子めがね装置１Ｅとの違いは、小型ビデオカメラ８が、帽子の鍔の先端部を上下に挟み込んで鍔の先端部上に固定されていることである。映像信号を単に受けてディスプレイ装置を使い見るだけではなく、いろいろな試料や本を手に取り、この小型ビデオカメラ８で試料や本を撮影した映像を見ることができる。特に、この小型ビデオカメラ８により、長時間のスポーツや観劇に適している。【００７２】
これは、本実施形態５の小型ビデオカメラ８を含む装着型電子めがね装置１Ｉ（電子めがね光学ユニット）を帽子の鍔部分に取り付けた場合であるが、本実施形態３の装着型電子めがね装置１Ｆ（図３Ｆ）がスポーツ用プロテクタの眼鏡フレーム５に取り付けられ、このスポーツ用プロテクタの眼鏡フレーム５の中央部上に小型ビデオカメラ８Ｊが取り付けられて、本実施形態５の別の事例として装着型電子めがね装置１Ｊ（図５Ｊ）を構成している。
（実施形態６）
上記実施形態１〜５では、光学ユニット２の画像出射部２１から一方の眼で見、他方の目の前を光学ユニット２の本体が横切る場合について説明したが、本実施形態６では、他方の目の前を光学ユニット２の本体が横切らず、他方の眼の前が開放されている場合について説明する。【００７３】
図６Ｋは、本発明の実施形態６に係る装着型電子めがね装置の第１構成例を示す斜視図である。前述した構成部材と同様の作用効果を奏する構成部材には同一の符号を付してその説明を省略する。【００７４】
図６Ｋにおいて、本実施形態６の装着型電子めがね装置１Ｋは、マックスウェル視を用いた指向性の高い画像光が画像出射部２１（図示せず）から出射される電子めがね本体の光学ユニット２Ｋと、この光学ユニット２Ｋである電子めがね本体の一方端部分２３Ｋに装着されてこれを保持し、この光学ユニット２Ｋを３次元的に位置設定と固定を可能とする位置合わせ機構部３Ｋとを備えている。【００７５】
光学ユニット２Ｋは、片眼側から顔の側面に曲がった平面視Ｌ字状に構成された箱体構造の筺体内に、前述した光学ユニット２の場合と同様に、光学系（図示せず）と、表示装置（図示せず）と、照明装置（図示せず）と、電源部（電池；図示せず）とを備えている。この場合に、上記実施形態１〜５の場合と異なる点は、筺体の外形形状であり、光学ユニット２Ｋを通して画像を見ていない眼は、前方が光学ユニット２Ｋで遮られておらず、前方が見えることである。【００７６】
位置合わせ機構部３Ｋは、断面が４角形である光学ユニット２Ｋの筺体の画像出射部側の端部分２３Ｋを挿嵌（または遊嵌）した状態で第１固定具（ねじやピン部材など）により筺体端部分２３Ｋに固定可能とする枠部材３１Ｋと、この枠部材３１Ｋに所定方向（図６Ｋでは上下方向）に位置変化自在（移動自在）に取り付け可能とし、その位置決めされた設定位置で第２固定具（ねじやピン部材など）により固定可能とされる位置設定連結部材としての帯状部材３２Ｋとを有している。【００７７】
枠部材３１Ｋは、ステンレススチール、アルミニュウムやチタン合金などの金属やその合金材料（軽合金材料）または樹脂材料で４角形の環状に構成され、その下面３１Ｋａには少なくとも２箇所にねじ穴（第１固定具）が設けられ、その側面３１Ｋｂにも少なくとも２箇所にねじ穴（第２固定具の一方）が設けられている。下面３１Ｋａのねじ穴には、枠部材３１Ｋを光学ユニット２Ｋの筺体端部分２３Ｋに固定するために、ねじ頭の外形大のねじ（図示せず）が螺合して取り付けられている。【００７８】
ここでは、光学ユニット２Ｋの筺体端部分２３Ｋの断面形状を長辺と短辺を持つ矩形状とし、この矩形状に合わせて枠部材３１Ｋの内側の開口部形状も、筺体端部分２３Ｋを挿嵌（遊嵌）可能なように筺体端部分２３Ｋの外形よりも一回り大きい矩形状としている。特に、筺体端部分２３Ｋの断面矩形状の短辺側については、枠部材３１Ｋに対して、その矩形状の開口部に挿入できる程度の少しの隙間とし、その長辺側については図６Ｋの前後方向に、光学ユニット２Ｋを多少の移動調整が可能なように枠部材３１Ｋに対して隙間を持たせている。これによって、枠部材３１Ｋに対して光学ユニット２Ｋを、その前後方向に、瞳孔内にマックスウェル視の射出光収束点が位置するように移動調整することができる。また、この枠部材３１Ｋを光学ユニット２Ｋの筺体端部分２３Ｋに挿抜可能とする構成であるので、光学ユニット２Ｋを挿入または引き抜き方向（図６Ｋの左右方向；挿抜方向）にも、瞳孔の位置とマックスウェル視の射出光収束点とを合わせるように移動調整することができる。しかも、この光学ユニット２Ｋの上下方向の移動については、枠部材３１Ｋの開口部内面のうちの上下面が、筺体端部分２３Ｋに対して摺動面になっており、この光学ユニット２Ｋは、枠部材３１Ｋに対して上下方向には隙間が小さく移動できないものの、前述したように前後方向には多少の隙間があるのでその隙間の範囲内で移動自在であるため、上下方向の軸周りに回転自在（水平面内に回転自在）にも位置決めできる。即ち、枠部材３１Ｋは、外形断面形状が４角形の光学ユニット２Ｋを４角形の枠内に挿嵌した状態で、この枠内に光学ユニット２Ｋを挿抜する挿抜方向およびこれに直交する方向の、空間３軸のうちの２軸と残る１軸周りの回転方向に位置設定が可能である。【００７９】
帯状部材３２Ｋは、Ｌ字状に折れ曲がった軽金属または樹脂材料などで構成され、枠部材３１Ｋの枠内に固定された光学ユニット２Ｋを保持固定するための部材である。この帯状部材３２Ｋと枠部材３１Ｋとの連結は、ねじなどの連結固定具（第２固定具）によって連結される。この枠部材３１Ｋの側面３１Ｋｂに設けられた二つのねじ穴のピッチよりも移動調整距離分だけ長い長穴３２Ｋａが、帯状部材３２Ｋの端部からその長手方向（上下方向）に沿って形成されており、その長穴３２Ｋａを通して二つのねじ３２Ｋｂを側面３１Ｋｂの二つのねじ穴にそれぞれ螺合させて上下方向（残る１軸方向）に移動自在（位置設定自在）に両者を連結することができる。これによって、瞳孔の位置とマックスウェル視の射出光収束点とを上下方向に合わせるように移動調整することができる。その位置調整後に、二つのねじ３２Ｋｂを締め付けると、枠部材３１Ｋに帯状部材３２Ｋを固定することができる。この帯状部材３２Ｋの先端側はスポーツ用プロテクタなどの眼鏡フレーム５Ｋに直に固定具のねじなどで固定できる。【００８０】
この場合には、眼鏡フレーム５Ｋとして、スポーツ時にボールなどから眼を守るプロテクタの役目を果たす眼鏡を用いている。これに対して、片眼用の眼鏡フレーム５Ｌに、装着型電子めがね装置１Ｌを用いた場合を図６Ｌに示している。【００８１】
図６Ｌは、本発明の実施形態６に係る装着型電子めがね装置の第２構成例を示す斜視図である。前述した構成部材と同様の作用効果を奏する構成部材には同一の符号を付けてその説明を省略する。【００８２】
図６Ｌにおいて、本実施形態６の他の変形例の装着型電子めがね装置１Ｌは、マックスウェル視を用いた指向性の高い画像光が画像出射部２１（図示せず）から出射される電子めがね本体の光学ユニット２Ｋと、この光学ユニット２Ｋである電子めがね本体の端部２３Ｋに装着されてこれを保持し、この光学ユニット２Ｋを３次元的に位置設定（３軸移動と１軸周りの回転移動による位置設定）と固定を可能とする位置合わせ機構部３Ｌとを備えている。【００８３】
光学ユニット２Ｋについて、図６Ｋの光学ユニット２Ｋでは、レンズ表面に接眼部２２を当接させているが、図６Ｌの光学ユニット２Ｋでは、眼の周囲に接眼部２２を直に沿わせて当接している。この点が図６Ｋと図６Ｌで互いに異なっている点であるが、他は同じである。【００８４】
位置合わせ機構部３Ｌは、断面外形が４角形である光学ユニット２Ｋの筺体の画像出射部側の端部分２３Ｋを挿嵌（または遊嵌）した状態で第１固定具（ねじやピン部材など）により筺体端部分２３Ｋに固定可能とする枠部材３１Ｋと、この枠部材３１Ｋに所定方向（図６Ｌで上下方向）に位置変化自在（移動自在）に取り付け可能とし、その位置決めされた設定位置で第２固定具（ねじやピン部材など）により固定可能とされる位置設定連結部材としての帯状部材３２Ｌとを有している。【００８５】
帯状部材３２Ｌは、Ｉ字状の軽金属または樹脂材料などで構成され、枠部材３１Ｋの枠内に固定された光学ユニット２Ｋを保持固定するための部材である。この帯状部材３２Ｌと枠部材３１Ｋとの連結は、ねじなどの連結固定具（第２固定具）によって連結される。この枠部材３１Ｋの眼側の側面（図示せず）に設けられた二つのねじ穴のピッチよりも移動調整距離分だけ長い長穴（図示せず）が、帯状部材３２Ｌの端部からその長手方向（上下方向）に沿って形成されており、その長穴（図示せず）を通して二つのねじ（図示せず）を側面の二つのねじ穴にそれぞれ螺合させて上下方向（残る１軸方向）に移動自在（位置設定自在）に両者を連結することができる。これによって、瞳孔の位置とマックスウェル視の射出光収束点とを上下方向に合わせるように移動調整することができる。その位置調整後に、二つのねじを締め付けると、枠部材３１Ｋに帯状部材３２Ｌを固定することができる。この帯状部材３２Ｌの先端側は、片目用の眼鏡フレーム５Ｌの眼鏡レンズのないフレーム側に直に固定具のねじなどで下方からの延在部が固定されている。【００８６】
この場合、眼鏡フレーム５Ｌは、帽子の鍔の外周部を両側から上下に挟み込んでホールドする固定部材４１に連結されて固定されている。【００８７】
以上により、上記実施形態１〜６によれば、マックスウェル視を用いた指向性の高い画像光が画像出射部２１（接眼レンズ２１ａ）から出射される電子めがね本体の光学ユニット２と、この光学ユニット２である電子めがね本体の中央部２３に装着されてこれを保持し、帽子の鍔や眼鏡フレーム５または５Ｄに取り付けられて保持され、この光学ユニット２を３次元的に位置設定（３軸移動と１軸周りの回転移動による位置設定）と固定を可能とする位置合わせ機構部３とを備えている。このように、位置合わせ機構部３により電子めがね本体の光学ユニット２を３次元的（３軸または４軸）に位置設定して固定可能とするため、眼の瞳孔の範囲内にマックスウェル視の収束点を容易かつ安定的に合わせることができるハンドフリーで手軽に長時間の携帯が可能な装着型電子めがね装置を得ることができる。【００８８】
ここで、更に上記実施形態１〜６について簡単に説明する。【００８９】
上記実施形態１では、図1に示すように、装着型電子めがね装置１を構成する光学系と、空間変調素子と、それを照明する照明素子とを一体化した光学ユニット２（電子めがね本体）を３次元（上下、左右および前後；３軸）の位置設定と固定が確実に可能となる機構を有している。更に、光学ユニット２の水平面内における回転も可能である。固定方法としては、矩形の断面を持つ光学ユニット２の外周壁を取り巻く枠部材３１（上下方向は内部にある光学ユニット２と略同じ寸法で、前後方向は若干ゆとりのある寸法）に複数個のねじ穴を設け、ねじ穴を介したねじにより光学ユニット２を枠部材３１に固定可能とする。調整方法としては、前後方向の調整は上下方向を規制する枠部材３１内で光学ユニット２を前後に移動する。左右方向の調整は、枠部材３１を通して光学ユニット２を左右に移動する。上下方向の調整は、枠部材３１を、長手上下方向の開口部である長穴３２aを持つ帯状部材３２Ａ（位置設定連結手段）により支持するが、帯状部材３２Ａによって枠部材３１を支える摺動面内に、長手上下方向の開口部の範囲内で移動可能としている。【００９０】
上記実施形態２では、図２Ａおよび図２Ｃのように上記実施形態１のような位置合わせ機構を持つ光学ユニット２全体を帽子またはめがねフレーム（スポーツ用プロテクター）にホールドする機構を有している。帽子のつばに装着するような固定具に装着型電子めがね装置１Ａ全体を保持する機構を有する。図２Ａのように帽子のかぶり方により微妙な位置合わせが一層可能となる。図２Ｂのようにノーズパッドを更に取り付けると、固定具と眼球との位置関係がいつも略一定にすることができる。【００９１】
上記実施形態３では、図３Ｅに示すように装着型電子めがね装置１Ｅ全体をサングラス６（遮光グラス）で遮光する。このように、サングラス６で光学ユニット２の前方を覆うことにより、外部からディスプレイ（装着型電子めがね装置１Ｅ全体）を見ることができないため、街中で装着型電子めがね装置１Ｅを使用することに違和感がなくなる。これに加えて、使用者には、外部から余分な光が入ることを防ぐことができて、画像をより鮮明に見ることができる。使用しない方の眼にはその効果が特に著しい。図３Ｅでは帽子に取り付ける事例、図３Ｆでは通常のめがねフレームに取り付けた事例を示している。【００９２】
上記実施形態４では、図４Ｇに示すように上記実施形態１のような位置合わせ機構を持つ光学ユニット２全体を帽子またはめがねフレーム（スポーツ用プロテクター）にホールドし、その帽子の裏側に骨伝導イヤホン７が設けられている。視覚障害者は、音声情報を健常者より一層必要でありより敏感でもある。このため、通常のイヤホンのように耳に挿入する装置では、周囲の音声情報が途絶える可能性が強い。この骨伝導イヤホン７を使用すれば、映像情報に付随した音声情報を聞くと同時に外部からの音声情報をも入手しやすくなって行動による対処も容易になる。図４Ｇでは帽子の裏側に骨伝導イヤホン７を取り付けた場合で、図４Ｈではめがね固定バンドに骨伝導イヤホン７を取り付けた場合である。【００９３】
上記実施形態５では、図５Ｉに示すように上記実施形態１のような位置合わせ機構を持つ光学ユニット２全体を帽子またはめがねフレーム（スポーツ用プロテクター）にホールドし、その帽子のつば上またはめがねフレーム上に小型カメラ８を装備している。外部入力映像信号を受けて、使用者はディスプレイを見るのみではなく、いろいろな使用を手にとって、小型カメラ８で撮影した映像を、光学ユニット２を介して見ることができる。特に、小型カメラ８から入力される長時間使用のスポーツ観賞や観劇などに適している。図５Ｉでは小型カメラ８を帽子のつば上に取り付けた場合、図５Ｊでは、めがねフレーム上に小型カメラ８を取り付けた場合を示している。【００９４】
上記実施形態６では、図６Ｋに示すように光学ユニット２を顔面の左右片側に寄せた形状として、装着型電子めがね装置１Ｋを使用しない側の眼は、前方の外界を見ることができる。また、両眼で同じ装着型電子めがね装置１Ｋを使用することもできる。図６Ｋでは、めがねフレームに光学ユニット２Ｋを取り付けた場合で、図６Ｌでは、帽子のつばに光学ユニット２Ｋを取り付けた場合を示している。【００９５】
以上のように、上記実施形態１では映像情報の収束点と瞳孔との位置合わせと固定とが簡単にできる。上記実施形態２では両手が自由でかつ長時間使用可能な装着型電子めがね装置１Ａを実現することができる。上記実施形態３では装着型電子めがね装置１Ｅ全体を遮光し外部から装着型電子めがね装置１Ｅ自体を見えないようにできる。上記実施形態４では骨伝導イヤホン７を持ち周囲の音情報と同時に必要な音声情報を容易に得ることができる。上記実施形態５では小型カメラ８を有して周囲の映像情報を自分の眼で見ているように得ることができる。上記実施形態６では両眼用の装着型電子めがね装置１Ｌを実現することができる。【００９６】
次に、実施形態７として、本発明の装着型電子めがね装置として、装着が極めて容易でかつ調整の自由度も大きな掛けめがね型の電子めがね装置について説明する。
（実施形態７）
図７Ｍは、本発明の実施形態７に係る装着型電子めがね装置の外観構成例を示す斜視図、図７Ｎは、図７Ｍの装着型電子めがね装置の各部品の分解斜視図である。【００９７】
図７Ｍおよび図７Ｎにおいて、本実施形態７の装着型電子めがね装置１Ｍは、上記実施形態１で前述したものと同様に、マックスウェル視を用いた指向性の高い画像光が画像出射部７１１（接眼レンズ７１１ａ）から出射される電子めがね本体の光学ユニット７１と、光学ユニット７１が収容されて内部で長手方向（左右方向；両眼の配列方向）に所定範囲内で移動可能とする凹部７２１が設けられた収納ケース７２と、鼻に掛けるためのノーズパッド７３と、耳に掛けるためのツル部材７４と、収納ケース７２内に収容された光学ユニット７１を両側から押えて半固定するための２枚の側板７５と、収納ケース７２に光学ユニット７１およびツル部材７４を固定するための固定部材としての各固定ねじ７６とを有している。【００９８】
光学ユニット７１は、その両端部の外形が丸い形状部７１２ａ，７１２ｂを有しており、収納ケース７２の凹部７２１内で、水平方向の水平軸Ｃの周りに回転（または回動）可能となっている。なお、この光学ユニット７１も、上記実施形態１で前述した光学ユニット２の場合と同様に、平面視Ｌ字状に構成された外形丸みを帯びた箱体構造の筺体内に、マックスウェル視を用いた指向性の高い画像光を出射する画像出射部７１１（Ｌ字状の一方端部）を構成する光学系（図示せず）と、この光学系の後方に設けられた表示画面を持つ液晶表示装置などの表示装置（空間変調素子；図示せず）と、この表示装置に照明光を出射する照明光源である照明装置（図示せず）と、各部に電力供給可能とする電源部（電池；図示せず）とを備えている。また、このＬ字状の他方端部からは電源線や画像信号線（例えば小型ビデオカメラ８などからの画像信号用）が引き出されている。【００９９】
収納ケース７２は、金属材料や樹脂材料などで構成され、図示されていないが、上下に分離可能でかつ、内部に光学ユニット７１を収容した後にねじなどによって一体的に固定可能とされている。また、上下が固定された収納ケース７２は、長手方向（左右方向；両眼の配列方向）の一方端面からこれに対向する他方端面に開口すると共に、一方端面と他方端面間の長手方向に沿った手前側の面にスリット状に開口する、長手方向に直交する断面Ｃ字状の凹部７２１が形成されている。この断面Ｃ字状の凹部７２１のスリット状開口部の開口幅は、その長手方向の中央部で狭く、両眼位置に対応する両側部でのみ広く構成されており、両側部のうちの一方の幅の広いスリット状開口部から画像出射部７１１が突出されて、その幅の広いスリット状開口部の幅によって規制された状態で水平方向の水平軸Ｃの周りに回転（または回動）可能（水平軸Ｃの周りに回転調整自在）に構成されている。また、収納ケース７２の凹部７２１内で、光学ユニット７１は、その幅の広いスリット状開口部によって左右方向に規制された状態で、二つの眼球位置のいずれかに対応して左右方向（水平方向）に位置を変更移動可能（左右方向の位置調整自在）とされている。これらの収納ケース７２と光学ユニット７１との位置設定後の固定は、図示していないが、ねじなどの固定部材により固定されてもよい。【０１００】
また、収納ケース７２の手前側の面（スリット状開口部側の面）の両側には、詳細に後述するツル部材７４の一方端部７４１を固定するためのツル固定部材７２２がそれぞれ、ねじや嵌めこみ部材などの分離自在な固定具（光学ユニット７１を収納ケース７２から取り出し自在）によって固定されている。このツル固定部材７２２において、その手前側の正面には、ツル部材７４の一方端部７４１を挿入するための角穴７２２ａが設けられ、その両側面には、ツル部材７４の一方端部７４１を固定するための穴７２２ｂ（一方がねじ穴で他方が単なる穴）が設けられている。【０１０１】
ノーズパッド７３は、人の鼻の凸形状に沿った凹形状部７３１を有しており、凹形状部７３１の裏面側には高さ調整部材としてのねじ７３２（ナットにて締めて固定するようになっていてもよい）が設けられている。このねじ７３２により高さ（上下方向）およびめがねとの距離（前後方向の位置）が変更可能であって、マックスウェル視の収束点と瞳孔との位置関係を変更可能（上下方向および前後方向の位置調整自在）となっている。【０１０２】
また、ノーズパッド７３のねじ７３２を収納ケース７２の正面中央部下側のねじ穴７２３ａに螺合させることにより、ノーズパッド７３を収納ケース７２の正面中央部下側のねじ穴７２３ａに装着することができる。なお、両眼のうち例えば左眼から右眼に見る眼を変える場合（反対の眼を用いる場合）には、ノーズパッド７３のねじ７３２を収納ケース７２の正面中央部上側のねじ穴７２３ｂに螺合させることにより、ノーズパッド７３を逆さに収納ケース７２の正面中央部上側のねじ穴７２３ｂに装着することになる。この場合、光学ユニット７１の画像上下反転切り替えレバーを操作して画像方向を上下反転させると共に、ツル部材７４を左右取り替える必要がある。ツル部材７４は上下対称形状で頭部側に曲がっておらず真っ直ぐであれば、ツル部材７４を左右取り替える必要がない。これによって、左眼用および右眼用、何れも同じ装置で使用することができる。【０１０３】
ツル部材７４の一方端部７４１には複数の穴７４１ａが長手方向に並んで設けらており、複数の穴７４１ａから適宜選択する穴７４１ａの位置により、ツル部材７４の長さが変更自在であり、使用者の耳までの距離に合せることができる。また、ツル部材７４の他方端部７４２は耳に掛けるように曲がっている。さらに、ツル部材７４は、ばね性のある帯材（金属材料および樹脂部材）によって頭部を両側から挟みこんで内側に付勢するように構成されている。【０１０４】
側板７５は、ねじおよび嵌め込み部材などによって固定され、収納ケース７２の両端面をカバーするためのものである。【０１０５】
固定ねじ７６は、ツル部材７４の一方端部７４１をツル固定部材７２２の角穴７２２ａ内に差し込んで、ツル固定部材７２２の一方の穴７２２ｂから、ツル部材７４の長さを変更するために選択した穴７４１ａを通して、他方の穴７２２ｂに締結されることによりツル部材７４を固定することができるものである。この場合に、ツル部材７４は、水平軸Ｃの周りに微小な回転も可能であり、かつ垂直軸（Ｚ軸；上下軸または鉛直軸）周りに微小な回転も可能であり、左右のツル部材７４の耳への引っかかり長さを左右で変えて垂直軸周りに収納ケース７２および光学ユニット７１を回転移動させて、光学ユニット７１からのマックスウェル視の収束点と瞳孔の範囲との各位置を合わせるように調整する。左右のツル部材７４の位置を設定した後に固定ねじ７６を締め込んでツル部材７４をツル固定部材７２２に固定する。【０１０６】
以上により、本実施形態７によれば、光学ユニット７１およびツル部材７４の二つの回動（回転）機構により、使用者は、画像出射部７１１からの映像を自らの網膜の任意の位置に瞳孔を通して投影することができて、黄班変性などで網膜の黄班部の視力が低下している網膜の中心部を避けて、より鮮明な映像として見ることができる。【０１０７】
また、使用者個人毎の固有のサイズや、網膜部疾患の部位の違いにも対応できて、一度調整をすれば次回からの調整の必要がなく使い勝手のよい装着型電子めがね装置１Ｍを実現することができる。【０１０８】
ここで、装着型電子めがね装置１Ｍの位置合わせ機構部として、電子めがね本体としての光学ユニット７１が内部に収容され、長手方向（左右方向）に所定範囲内で移動可能とすると共にこの長手方向の水平軸Ｃの周りに所定範囲内で回動可能とする凹部７２１が設けられた収納ケース７２と、この収納ケース７２に、長手方向に直交しかつ互いに直交する前後方向および上下方向に光学ユニット７１の画像出射部７１１と使用者の瞳孔との位置関係を調整可能とするノーズパッド７３と、この収納ケース７２の両側に取り付けられ、両耳に掛けるためのツル部材７４とを有する構成について説明してきたが、これに限らず、図７Ｐにて詳細に後述するが、位置合わせ機構部として、電子めがね本体としての光学ユニット７１が収容されて内部で長手方向に所定範囲内で移動可能とする凹部７２１Ｐが設けられた収納ケース７２Ｐと、この収納ケース７２Ｐに、長手方向に直交しかつ互いに直交する前後方向および上下方向に光学ユニット７１Ｐと使用者の瞳孔との位置関係を調整可能とするノーズパッド（図示せず）と、この収納ケース７２Ｐの両側に取り付けられ、両耳に掛けるためのツル部材７４Ｐとを有する場合について、次に説明する。【０１０９】
図７Ｐは、図７Ｍの装着型電子めがね装置の各部品の他の構成例を示す分解斜視図である。【０１１０】
図７Ｐに示すように、本実施形態７の変形例の装着型電子めがね装置１Ｐは、上記実施形態７で前述した光学ユニット７１と同様に、マックスウェル視を用いた指向性の高い画像光が画像出射部７１１Ｐから出射される電子めがね本体の光学ユニット７１Ｐと、光学ユニット７１Ｐが収容されて内部で長手方向Ｘ（左右方向；両眼の配列方向）に所定範囲内で移動可能とする凹部７２１Ｐが設けられた収納ケース７２Ｐと、耳に掛けるためのツル部材７４Ｐと、収納ケース７２Ｐ内に収容された光学ユニット７１Ｐを両側から押えて半固定するための２枚の側板７５Ｐと、収納ケース７２に光学ユニット７１および２枚の側板７５Ｐを固定するための固定部材としての各固定ねじ（図示せず）とを有している。【０１１１】
収納ケース７２Ｐは、上下に分離せず一体物で形成され、両側面（両端面）間を貫通する断面Ｃ字状の凹部７２１Ｐが設けられ、この凹部７２１Ｐ内に光学ユニット７１Ｐが挿入されて内部に収容されるようになっている。【０１１２】
２本のツル部材７４Ｐの各円形状（円盤状）の端部を、凹部７２１Ｐ内に収容された光学ユニット７１Ｐの両側位置にそれぞれ配置させ、２枚の側板７５Ｐを収納ケース７２Ｐの両端面にそれぞれ各固定ねじ（図示せず）などによりカバーして固定する。【０１１３】
ノーズパッドは、ここでは特に図示していないが、収納ケース７２Ｐの正面と裏面側に、鼻形状に対応した凹部が設けられて、その凹部にパッドが貼り付けられて、パッドの厚みにより前述した高さ調整自在（上下方向および前後方向の位置調整自在）に構成している。なお、左右の利用する眼を逆にできるようにする場合には、収納ケース７２を光学ユニット７１Ｐと共に上下逆にして、図示しないノーズパッドを収納ケース７２Ｐの正面下位置から正面上位置に付け替えができるようにすればよい。この場合、収納ケース７２Ｐの正面と上面間に渡って、前述したように鼻形状に対応した凹部を設ければよく、その凹部にパッドが貼り付けられて、パッドの厚みにより前述した高さ調整自在（上下方向および前後方向の位置調整自在）に構成すればよい。【０１１４】
この場合、装着型電子めがね装置１Ｐも、光学ユニット７１Ｐの左右方向Ｘの位置調整自在、上下方向Ｚおよび前後方向Ｙの位置調整自在に構成されている。図７Ｎの水平軸Ｃの周りに回転調整については、装着型電子めがね装置１Ｐではあまり期待できない。【０１１５】
したがって、本実施形態７の装着型電子めがね装置１Ｍまたは１Ｐでは、左右の眼の使い分けが可能で、装着が容易、あまり違和感のない形状、しかも、位置調整機構がＸ軸、Ｙ軸およびＺ軸、さらにはＸ軸周りの回転により容易かつ正確に調整可能である。【０１１６】
以上により、上記実施形態１〜７によれば、眼の瞳孔の範囲内にマックスウェル視の収束点を容易かつ安定的に合わせることができるハンドフリーで手軽に長時間の携帯をすることができる。【０１１７】
なお、位置合わせ機構部３を光学ユニット２と共に、帽子の鍔または眼鏡フレームに取り付けて保持すると共に、サングラス６、骨伝導イヤホン７および小型ビデオカメラ８のうちの少なくともいずれかを帽子の鍔または眼鏡フレームに取り付けて保持する。【０１１８】
また、上記実施形態１〜６では、光学ユニット２および位置合わせ機構部３が片眼用に１組設けられるように構成したが、これに限らず、光学ユニット２および位置合わせ機構部３が両眼用に２組設けられるように構成することもできる。特に、上記実施形態６の装着型電子めがね装置１Ｋまたは１Ｌでは、他方の目の前を光学ユニット２の本体が横切らず、他方の眼の前が開放されているため、左右の両眼用として、光学ユニット２Ｋおよび位置合わせ機構部３Ｋを２組設けてもよく、または、光学ユニット２Ｋおよび位置合わせ機構部３Ｌを２組設けてもよい。【０１１９】
さらに、上記実施形態７では、特に説明しなかったが、上記実施形態７の装着型電子めがね装置１Ｍまたは１Ｐからツル部材７４または７４Ｐを取り外して、上記実施形態２の帽子に取り付け機構により取り付けるようにしてもよい。さらに、上記実施形態７の装着型電子めがね装置１Ｍまたは１Ｐの前方に、上記実施形態３のサングラス６を設けてもよい。上記実施形態７の装着型電子めがね装置１Ｍまたは１Ｐのツル部材７４または７４Ｐに上記実施形態４の骨伝導イヤホン７を設けてもよい。さらに、上記実施形態７の装着型電子めがね装置１Ｍまたは１Ｐと共に上記実施形態５の小型カメラ８を設けてもよい。【０１２０】
さらに、上記実施形態１〜７では、特に詳細には説明しなかったが、要するに、本発明では、マックスウェル視により眼の瞳孔を通して網膜に映像を投影するための表示装置を用いた装着型電子めがね装置であって、マックスウェル視を用いた指向性の高い画像光が前記表示装置の表示画面から出射される電子めがね本体と、この電子めがね本体に装着されるかまたは電子めがね本体が収容され、この電子めがね本体を３次元的に位置設定して固定可能とする位置合わせ機構部とを有している。このように、位置合わせ機構部は、電子めがね本体に装着されるかまたは電子めがね本体が収容されて、コンパクトな電子めがね本体だけを３次元的に位置設定できることから、電子めがね本体からの画像光のマックスウェル視の収束点を容易かつ安定的に眼の瞳孔の範囲内に位置させることができる。また、本発明は、装着型電子めがね装置であって、電子めがね本体に装着されるかまたは電子めがね本体が収容された位置合わせ機構部を、顔や頭などの身体に装着する装着部材（装着具；例えば帽子の鍔や眼鏡フレーム）に装着することにより、ハンドフリーで手軽に長時間、携帯することができる。よって、眼の瞳孔の範囲内にマックスウェル視の収束点を容易かつ安定的に合わせることができ、しかもハンドフリーで手軽に長時間の携帯が可能な本発明の目的を達成することができる。これは、特に、加齢性黄斑変性患者などの弱視者に視力を与えるためのマックスウェル視を利用した電子めがね本体を３次元的に位置設定および固定するものであり、加齢性黄斑変性患者などの弱視者がより楽に見えるか見えないかの顕著な効果を奏するものであって、大いに特許性のある有用な発明である。【０１２１】
この場合、３次元的な位置設定は、３軸移動（Ｘ軸、Ｙ軸およびＺ軸方向の平行移動）と１軸周りの回転移動（例えば上記実施形態１のようにＺ軸；上下軸周りの回転移動）との４軸移動による位置設定が可能である。また、３軸移動と２軸周りの回転移動（例えば上記実施形態７のように例えばＸ軸；左右軸または水平軸周りの回転移動と、Ｚ軸；上下軸または鉛直軸周りの回転移動）との５軸移動による位置設定が可能である。さらに、上記実施形態７の収納ケースと、上記実施形態１の位置合わせ機構部とを組み合わせれば、３軸移動と２軸周りの回転移動（Ｚ軸およびＸ軸）との５軸移動による位置設定が可能である。要するに、本発明では、３軸移動とこの３軸のうちの少なくともいずれか１軸周りの回転移動とによる位置設定が可能である。この回転移動による位置設定は、マックスウェル視の収束点を容易かつ安定的に眼の瞳孔の範囲内に位置させる上で有効である。したがって、上記実施形態１〜７では、ユーザが実際に自分の眼で映像を見ながら位置調整を行うことができる構成であるため、人間工学的に容易で正確な位置調整および設定が可能となって、その固定も容易なものとなる。【０１２２】
以上のように、本発明の好ましい実施形態１〜７を用いて本発明を例示してきたが、本発明は、この実施形態１〜７に限定して解釈されるべきものではない。本発明は、特許請求の範囲によってのみその範囲が解釈されるべきであることが理解される。当業者は、本発明の具体的な好ましい実施形態１〜７の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１２３】
本発明は、マックスウェル視を用いて瞳孔を通して直に網膜に画像光を投影するための表示装置が設けられた装着型電子めがね装置の分野において、位置合わせ機構部により電子めがね本体を３次元的（３軸）に位置設定して固定可能とするため、眼の瞳孔の範囲内にマックスウェル視の収束点を容易かつ安定的に合わせることができるハンドフリーで手軽に携帯自在な装着型電子めがね装置を提供することができる。
【図１】
2007029675.tif 000002
【図２Ａ】
2007029675.tif 000003
【図２Ｂ】
2007029675.tif 000004
【図２Ｃ】
2007029675.tif 000005
【図２Ｄ】
2007029675.tif 000006
【図３Ｅ】
2007029675.tif 000007
【図３Ｆ】
2007029675.tif 000008
【図４Ｇ】
2007029675.tif 000009
【図４Ｈ】
2007029675.tif 000010
【図５Ｉ】
2007029675.tif 000011
【図５Ｊ】
2007029675.tif 000012
【図６Ｋ】
2007029675.tif 000013
【図６Ｌ】
2007029675.tif 000014
【図７Ｍ】
2007029675.tif 000015
【図７Ｎ】
2007029675.tif 000016
【図７Ｐ】
2007029675.tif 000017
【国際調査報告】
2007029675.tif 000018
2007029675.tif 000019
2007029675.tif 000020
2007029675.tif 000021